(57)【要約】【課題】  排水管内の洗浄中に、洗浄ノズルが排水管の内壁面に当たっても、その内壁面に傷が付き難くする。【解決手段】  本発明に係る排水管の洗浄装置は、可撓性の給水ホース１２の先端に装着された洗浄ノズル２０から洗浄水を噴射させた状態で、給水ホース１２を繰出し、あるいは巻取ることで、その洗浄ノズル２０を排水管内で移動させて、その排水管内を洗浄する構成の排水管の洗浄装置であって、洗浄ノズル２０は、少なくとも先端部分が衝撃を吸収可能な材料で形成されている。【選択図】        図１
2005083037.tif 000002
【特許請求の範囲】
【請求項１】
可撓性の給水ホースの先端に装着された洗浄ノズルから洗浄水を噴射させた状態で、前記給水ホースを繰出し、あるいは巻取ることで、その洗浄ノズルを排水管内で移動させて、その排水管内を洗浄する構成の排水管の洗浄装置であって、
前記洗浄ノズルは、少なくとも先端部分が衝撃を吸収可能な材料で形成されていることを特徴とする排水管の洗浄装置。
【請求項２】
請求項１に記載された排水管の洗浄装置であって、
洗浄ノズルはエンジニアリングプラスチックにより形成されていることを特徴とする排水管の洗浄装置。
【請求項３】
請求項１に記載された排水管の洗浄装置であって、
洗浄ノズルは金属製であり、樹脂層に覆われていることを特徴とする排水管の洗浄装置。
【発明の詳細な説明】
【技術分野】
【０００１】
本発明は、可撓性の給水ホースの先端に装着された洗浄ノズルから洗浄水を噴射させた状態で、前記給水ホースを繰出し、あるいは巻取ることで、その洗浄ノズルを排水管内で移動させて、その排水管内を洗浄する構成の排水管の洗浄装置に関する。
【背景技術】
【０００２】
これに関連する排水管の洗浄装置が特許文献１に記載されている。
この洗浄装置は、高圧の洗浄水を洗浄ノズルの噴射孔から放射状に斜め後方に噴射して、その洗浄水を排水管の内壁面に対し円周方向においてほぼ均等に当て、その内壁面に付着している汚れ成分を除去する。前記洗浄ノズルは、洗浄水を後方に噴射することによる推進力と給水ホースの繰出し操作による押圧力とによって、排水管内を前進しながら連続して排水管内の洗浄を行う。
前記洗浄ノズルは、真鍮やステンレス等の金属材により先端部分が閉鎖された状態で中空状に形成されており、その外周面に洗浄水を斜め後方に噴射するための噴射孔が円周方向に所定ピッチで複数個形成されている。
【０００３】
【特許文献１】特開２００３−１８４１５１号公報
【発明の開示】
【発明が解決しようとする課題】
【０００４】
上記したように、洗浄ノズルは真鍮やステンレス等の重く硬い金属で形成されているため、洗浄ノズルを排水管内で前進させる際、その洗浄ノズルの先端が排水管の曲がり部等の内壁面に当たると、その内壁面が傷付くことがある。特に、鋼管製の排水管等では腐食防止のため、その内壁面に樹脂コーティングが施されているため、洗浄ノズルの先端が当たることで前記コーティングが部分的に傷付き、錆の原因となる。
本発明は、上記問題点を解決するためになされたものであり、本発明が解決しようとする課題は、洗浄ノズルが排水管の内壁面に当たってもその内壁面が傷付き難いようにすることである。
【課題を解決するための手段】
【０００５】
上記した課題は、各請求項の発明によって解決される。
請求項１の発明は、可撓性の給水ホースの先端に装着された洗浄ノズルから洗浄水を噴射させた状態で、前記給水ホースを繰出し、あるいは巻取ることで、その洗浄ノズルを排水管内で移動させて、その排水管内を洗浄する構成の排水管の洗浄装置であって、前記洗浄ノズルは、少なくとも先端部分が衝撃を吸収可能な材料で形成されていることを特徴とする。
【０００６】
本発明によると、例えば、洗浄ノズルを排水管内で前進させる際、その洗浄ノズルの先端が排水管の曲がり部等の内壁面に当たっても、その衝撃が洗浄ノズルの先端部分である程度吸収される。このため、前記排水管の内壁面に傷が付き難くなる。
ここで、請求項２に示すように、洗浄ノズル全体をエンジニアリングプラスチックにより形成しても良い。エンジニアリングプラスチックは真鍮やステンレス等と比較して弾性を有するため、洗浄ノズルが排水管の内壁面に当たったときの衝撃をある程度吸収することができる。また、エンジニアリングプラスチックは真鍮やステンレス等と比較して軽いため、洗浄ノズルが排水管の内壁面に衝突したときの衝撃自体も従来と比べて小さくなる。
なお、請求項３に示すように、洗浄ノズルが金属製であっても、表面を樹脂層で覆うことにより、その樹脂層で衝撃をある程度吸収できるようになる。
【発明の効果】
【０００７】
本発明によると、排水管の洗浄中に、洗浄ノズルが排水管の内壁面に当たってもその内壁面が傷付き難くなる。
【発明を実施するための最良の形態】
【０００８】
以下、図１〜図４に基づいて、本発明の実施形態１に係る排水管の洗浄装置について説明する。本実施形態に係る排水管の洗浄装置は、マンションやビル等に設置された排水管を洗浄ノズルから噴射された高圧の洗浄水によって洗浄する装置である。ここで、図１は、本実施形態に係る排水管の洗浄装置における洗浄ノズル等を表す縦断面図、図２は排水管の洗浄状況を表す縦断面図である。また、図３、図４は洗浄ノズルの変更例を表す縦断面図である。
本実施形態に係る排水管の洗浄装置１０は、高圧ポンプ（図示省略）と、給水ホース１２と、洗浄水を噴射する洗浄ノズル２０とを備えている。
【０００９】
前記高圧ポンプは、例えばエンジンにより駆動される構成であり、水道水を約35Kg/cm2以上の圧力に昇圧可能に構成されている。
給水ホース１２は、前記高圧ポンプによって昇圧された水道水（以下、洗浄水という）を洗浄ノズル２０まで導くホースであり、図示されていないホースリールに繰出し可能な状態で巻取られている。
前記ホースリールと前記高圧ポンプとは台車（図示省略）上に設置されている。
【００１０】
給水ホース１２の先端には、図１等に示すように、接続金具１４によって洗浄ノズル２０が取付けられている。接続金具１４は、短管状に形成されており、先端側から順番に雄ネジ部１４ｍ、六角部１４ｂ及び筒状のカシメ部１４ｋが形成されている。そして、接続金具１４のカシメ部１４ｋがカシメ加工により給水ホース１２の先端に固定される。また、接続金具１４の雄ネジ部１４ｍが洗浄ノズル２０の雌ネジ部２３に螺合されることで、その洗浄ノズル２０は接続金具１４を介して給水ホース１２の先端に取付けられる。
【００１１】
洗浄ノズル２０は、高圧の洗浄水を斜め後方に向けて放射状に噴射可能なノズルであり、略円筒形に成形された円筒部２２と、その円筒部２２の先端を塞ぐ略半球状の先端部２４とから構成されている。このため、洗浄ノズル２０の中央軸方向には、深孔状のノズル中央空間Ｓが形成される。ノズル中央空間Ｓは、基端部が他より大径に形成されており、その部分に前述の接続金具１４の雄ネジ部１４ｍが螺合される雌ネジ部２３が形成されている。
【００１２】
洗浄ノズル２０の壁部分には、ノズル中央空間Ｓの先端部から後方傾斜状態で放射状に延びる複数の直線通路２６が形成されており、それらの直線通路２６が洗浄ノズル２０の外周面２２ｒに設けられたＶ字溝２５の位置で開孔している。Ｖ字溝２５は、図１に示すように、断面Ｖ字形に形成されたリング状溝であり、直線通路２６の開孔２６ｐ（噴射孔２６ｐ）から噴射された洗浄水をＶ字溝２５の後壁面２５ｅでガイドできるように構成されている。ここで、Ｖ字溝２５の後壁面２５ｅの傾斜角度と直線通路２６の傾斜角度とはほぼ等しい値に設定されている。
洗浄ノズル２０は、エンジニアリングプラスチック材料を所定形状の成形型（図示省略）内に射出することにより成形される。
【００１３】
上記した洗浄装置１０を使用して排水管Ｐ内を洗浄する場合には、排水管継手（図示省略）の掃除口から排水管Ｐ内に洗浄ノズル２０を挿入した後、高圧ポンプを駆動させて洗浄ノズル２０の各々の噴射孔２６ｐから洗浄水を噴射させる。先浄水は、洗浄ノズル２０の噴射孔２６ｐから斜め後方に放射状に噴射され、排水管Ｐの内壁面に対して円周方向においてほぼ均等に当たる。これによって、排水管Ｐの内壁面に付着している汚れ成分が洗い流される。洗浄ノズル２０は、洗浄水が斜め後方に噴射されることによる推進力と給水ホース１２の繰出し操作による押圧力とによって、図２に示すように、排水管Ｐ内を上昇（横枝管の場合には前進）して、排水管Ｐ内を連続して洗浄する。
このようにして、予め決められた範囲の洗浄が完了すると、高圧ポンプを停止させた後、ホースリールで給水ホース１２を巻取りながら洗浄ノズル２０を前記排水管継手（図示省略）の掃除口まで戻し、作業を終了する。
【００１４】
本実施形態に係る洗浄装置１０によると、洗浄ノズル２０は真鍮やステンレス等と比較して弾性を有するエンジニアリングプラスチックによって形成されている。このため、洗浄ノズル２０を排水管Ｐ内で前進（上昇）させる際、その洗浄ノズル２０の先端が排水管Ｐの曲がり部等の内壁面に当たっても、その衝撃が洗浄ノズル２０の先端部分である程度吸収される。さらに、エンジニアリングプラスチックは真鍮やステンレス等と比較して軽いため、洗浄ノズル２０が排水管Ｐの内壁面に当たったときの衝撃自体も従来と比べて小さくなる。したがって、洗浄ノズル２０を排水管Ｐ内で上昇させながら洗浄する際に、その洗浄ノズル２０の先端が排水管Ｐの内壁面に当たってもその内壁面に傷が付き難くなる。
さらに、給水ホース１２を巻取りながら洗浄ノズル２０を排水管Ｐから引き抜く際に、その洗浄ノズル２０が排水管Ｐの内壁面に当たっても、同様にその内壁面が傷付き難くなる。
【００１５】
なお、本実施形態に係る洗浄装置１０では、洗浄ノズル２０全体をエンジニアリングプラスチックで成形する例を示したが、図３に示すように、洗浄ノズル３０を真鍮やステンレス等で成形し、その表面を樹脂層３２で覆うことも可能である。洗浄ノズル３０の表面を樹脂層３２で覆う方法としては、洗浄ノズル３０を成形型内にインサートした後、その成形型内に樹脂を射出する方法が一般的に行われる。この場合、Ｖ字溝３４に入り込んだ樹脂（二点鎖線参照）は、射出成形後に切除する。なお、予めＶ字溝３４の部分に樹脂が入り込まないように型をセットした後、射出成形をすることも可能である。
【００１６】
また、本実施形態に係る洗浄装置１０では、後方噴射式の洗浄ノズル２０,３０を例に説明を行ったが、図４に示すように、前方噴射式の洗浄ノズル４０に本発明を適用することも可能である。この場合、洗浄ノズル４０を真鍮やステンレス等で成形し、その表面を樹脂層４２で覆う構造でも良いし、洗浄ノズル４０全体をエンジニアリングプラスチックで成形することも可能である。
また、本実施形態では、洗浄ノズル３０,４０を真鍮やステンレス等で成形した場合に、その洗浄ノズル３０,４０のほぼ全体を樹脂層３２,４２で覆う例を示したが、洗浄ノズル３０,４０の先端部分のみを樹脂層で覆うことも可能である。
【図面の簡単な説明】
【００１７】
【図１】本発明の実施形態１に係る排水管の洗浄装置における洗浄ノズル等を表す縦断面図である。
【図２】排水管の洗浄状況を表す縦断面図である。
【図３】洗浄ノズルの変更例を表す縦断面図である。
【図４】洗浄ノズルの変更例を表す縦断面図である。
【符号の説明】
【００１８】
Ｐ      排水管
１２    給水ホース
２０    洗浄ノズル
３０    洗浄ノズル
３２    樹脂層
４０    洗浄ノズル
４２    樹脂層
【図１】
2005083037.tif 000003
【図２】
2005083037.tif 000004
【図３】
2005083037.tif 000005
【図４】
2005083037.tif 000006